(57)【要約】【課題】通信装置において、通信相手装置からの信号の受信タイミングの遅延量を正確に検出することが可能な技術を提供する。【解決手段】通信装置１の検出部８は、１つのサブスロットの末尾のシンボル期間とそれに続く１つのシンボル期間のそれぞれにおいて受信部２０が受信した復調複素シンボルパターンと既知のＴＣＣＨシンボルパターンとの相関演算を行う相関演算部と、当該相関演算部での演算結果に基づいて通信相手装置からの信号の受信タイミングの遅延量を求める受信状態取得部とを備えている。【選択図】図１
2011010146.tif 000002
【特許請求の範囲】
【請求項１】
通信相手装置と通信を行う通信装置であって、
前記通信相手装置でのタイミングで規定された、連続する複数の相手側単位期間の間、前記通信相手装置から、連続的に繰り返して送信される既知信号を受信する受信部と、
前記通信装置でのタイミングで規定された、前記複数の相手側単位期間に相当する複数の自装置側単位期間及び当該複数の自装置側単位期間に続く１つの後続自装置側単位期間において、先頭の単位期間及び末尾の単位期間のどちらか一方と、当該先頭の単位期間を除いた前記複数の自装置側単位期間のうちの一つとを含む少なくとも２つの単位期間のそれぞれにおいて、前記受信部が受信する信号と前記既知信号との相関演算を行う相関演算部と、
前記相関演算部での演算結果に基づいて、前記通信相手装置からの信号の受信タイミングの遅延量を求める遅延量取得部と
を備える、通信装置。
【請求項２】
請求項１に記載の通信装置であって、
前記少なくとも２つの単位期間は、前記複数の相手側単位期間に相当する複数の自装置側単位期間及び当該複数の自装置側単位期間に続く１つの後続自装置側単位期間において、先頭の単位期間と、当該先頭の単位期間に連続して続く複数の単位期間とから成る、通信装置。
【請求項３】
請求項１及び請求項２のいずれか一つに記載の通信装置であって、
前記遅延量取得部で求められた前記遅延量を通知する信号を前記通信相手装置に送信する送信部をさらに備える、通信装置。
【請求項４】
請求項１及び請求項２のいずれか一つに記載の通信装置であって、
前記相関演算部での演算結果に基づいて、前記通信相手装置からの信号の受信レベルを求める受信レベル取得部をさらに備える、通信装置。
【請求項５】
請求項４に記載の通信装置であって、
前記受信レベル取得部で求められた前記受信レベルに基づいて、前記通信相手装置での送信レベルを決定する決定部と、
前記決定部で決定された前記送信レベルを通知する信号を前記通信相手装置に送信する送信部と
をさらに備える、通信装置。
【請求項６】
通信装置において、通信相手装置からの信号の受信タイミングの遅延量を検出する遅延量検出方法であって、
前記通信相手装置でのタイミングで規定された、連続する複数の相手側単位期間の間、前記通信相手装置から、連続的に繰り返して送信される既知信号を受信する受信工程と、
前記通信装置でのタイミングで規定された、前記複数の相手側単位期間に相当する複数の自装置側単位期間及び当該複数の自装置側単位期間に続く１つの後続自装置側単位期間において、先頭の単位期間及び末尾の単位期間のどちらか一方と、当該先頭の単位期間を除いた前記複数の自装置側単位期間のうちの一つとを含む少なくとも２つの単位期間のそれぞれにおいて、前記受信部が受信する信号と、前記既知信号との相関演算を行う演算工程と、
前記演算工程での演算結果に基づいて、前記通信相手装置からの信号の受信タイミングの遅延量を求める遅延量取得工程と
を備える、遅延量検出方法。
【発明の詳細な説明】
【技術分野】
【０００１】
本発明は、通信相手装置からの信号の受信タイミングの遅延量を検出する通信装置及び当該遅延量を検出する方法に関する。
【背景技術】
【０００２】
従来から無線通信に関して様々な技術が提案されている。例えば特許文献１には、基地局が、通信端末から送信される既知信号に基づいて、当該通信端末の送信タイミングを制御する技術が開示されている。また非特許文献１には、次世代ＰＨＳ（Personal Handyphone System）についての規格が記載されている。
【先行技術文献】
【特許文献】
【０００３】
【特許文献１】特開２００９−１０６６２号公報
【非特許文献】
【０００４】
【非特許文献１】“OFDMA/TDMA TDD Broadband Wireless Access System(Next Generation PHS) ARIB STANDARD”、ARIB STD-T95 Version1.1、平成２０年６月６日、社団法人電波産業会
【発明の概要】
【発明が解決しようとする課題】
【０００５】
さて、次世代ＰＨＳでは、ＯＦＤＭ（Orthogonal Frequency Division Multiplexing）信号を用いたＯＦＤＭＡ（Orthogonal Frequency Division Multiple Access）方式によって、基地局は複数の通信端末と同時に通信することが可能である。基地局は、自装置でのタイミングを基準タイミングとして各通信端末と通信を行うことから、基地局と通信端末との間で同期が取れておらず、通信端末が独自のタイミングで信号を送信すると、基地局では、通信端末からの信号が適切なタイミングでＦＦＴ（Fast Fourier Transform）処理されないことがある。その結果、基地局は、通信端末からの信号を適切に復調できず、当該信号に含まれる情報を正確に取得できないことがある。特にＯＦＤＭＡ方式では、複数の通信端末からの信号で１つのＯＦＤＭ信号が構成されることから、複数の通信端末の間において送信タイミングが一致していない場合には、複数の通信端末からの信号の間の直交性が崩れてしまい、基地局では複数の通信端末からの信号に含まれる情報を正確に取得できなくなる。
【０００６】
このような問題を解決するために、基地局と通信端末とが通信を開始する際には、両者の間でレンジング処理が行われる。このレンジング処理では、基地局は、通信端末から送信される既知信号に基づいて、通信端末からの信号の受信タイミングについての、自装置で規定されている基準タイミングからの遅延量を求める。そして、基地局は、求めた遅延量に基づいて、通信端末の送信タイミングを制御する。これにより、基地局は、複数の通信端末からの信号をすべて基準タイミングで受信することができる。その結果、基地局では、各通信端末からの信号を適切なタイミングでＦＦＴ処理することができるとともに、複数の通信端末からの信号の間の直交性を確保することができる。よって、基地局は、各通信端末からの信号に含まれる情報を正確に取得することができる。なお、このような通信端末の送信タイミングの制御と同様の技術が上記の特許文献１に記載されている。
【０００７】
このように、通信装置においては、通信相手装置からの信号の受信タイミングの遅延量を検出することがあり、当該遅延量を正確に検出することが望まれる。
【０００８】
そこで、本発明は上述の点に鑑みて成されたものであり、通信装置において、通信相手装置からの信号の受信タイミングの遅延量を正確に検出することが可能な技術を提供することを目的とする。
【課題を解決するための手段】
【０００９】
上記課題を解決するため、本発明に係る通信装置は、通信相手装置と通信を行う通信装置であって、前記通信相手装置でのタイミングで規定された、連続する複数の相手側単位期間の間、前記通信相手装置から、連続的に繰り返して送信される既知信号を受信する受信部と、前記通信装置でのタイミングで規定された、前記複数の相手側単位期間に相当する複数の自装置側単位期間及び当該複数の自装置側単位期間に続く１つの後続自装置側単位期間において、先頭の単位期間及び末尾の単位期間のどちらか一方と、当該先頭の単位期間を除いた前記複数の自装置側単位期間のうちの１つとを含む少なくとも２つの単位期間のそれぞれにおいて、前記受信部が受信する信号と前記既知信号との相関演算を行う相関演算部と、前記相関演算部での演算結果に基づいて、前記通信相手装置からの信号の受信タイミングの遅延量を求める遅延量取得部とを備える。
【００１０】
また、本発明に係る通信装置の一態様では、前記少なくとも２つの単位期間は、前記複数の相手側単位期間に相当する複数の自装置側単位期間及び当該複数の自装置側単位期間に続く１つの後続自装置側単位期間において、先頭の単位期間と、当該先頭の単位期間に連続して続く複数の単位期間とから成る。
【００１１】
また、本発明に係る通信装置の一態様では、前記遅延量取得部で求められた前記遅延量を通知する信号を前記通信相手装置に送信する送信部がさらに設けられている。
【００１２】
また、本発明に係る通信装置の一態様では、前記相関演算部での演算結果に基づいて、前記通信相手装置からの信号の受信レベルを求める受信レベル取得部がさらに設けられている。
【００１３】
また、本発明に係る通信装置の一態様では、前記受信レベル取得部で求められた前記受信レベルに基づいて、前記通信相手装置での送信レベルを決定する決定部と、前記決定部で決定された前記送信レベルを通知する信号を前記通信相手装置に送信する送信部とが設けられている。
【００１４】
また、本発明に係る遅延量検出方法は、通信装置において、通信相手装置からの信号の受信タイミングの遅延量を検出する遅延量検出方法であって、前記通信相手装置でのタイミングで規定された、連続する複数の相手側単位期間の間、前記通信相手装置から、連続的に繰り返して送信される既知信号を受信する受信工程と、前記通信装置でのタイミングで規定された、前記複数の相手側単位期間に相当する複数の自装置側単位期間及び当該複数の自装置側単位期間に続く１つの後続自装置側単位期間において、先頭の単位期間及び末尾の単位期間のどちらか一方と、当該先頭の単位期間を除いた前記複数の自装置側単位期間のうちの１つとを含む少なくとも２つの単位期間のそれぞれにおいて、前記受信部が受信する信号と、前記既知信号との相関演算を行う演算工程と、前記演算工程での演算結果に基づいて、前記通信相手装置からの信号の受信タイミングの遅延量を求める遅延量取得工程とを備える。
【発明の効果】
【００１５】
本発明によれば、通信相手装置からの信号の受信タイミングについて、１つの単位期間以上の遅延を検出することができる。
【図面の簡単な説明】
【００１６】
【図１】本発明の実施の形態に係る通信装置の構成を示す図である。
【図２】ＴＣＣＨ用のＰＲＵの構成を示す図である。
【図３】ＴＣＣＨ信号の時間波形を示す図である。
【図４】本発明の実施の形態に係る検出部の構成を示す図である。
【図５】復調複素シンボルとＴＣＣＨ複素シンボルとの相関値を示す図である。
【図６】相関値グラフを示す図である。
【図７】本発明の実施の形態に係る状態取得部の動作を示すフローチャートである。
【図８】ＴＣＣＨ信号の受信タイミングを示す図である。
【図９】本発明の実施の形態に係る検出部の変形例の構成を示す図である。
【発明を実施するための形態】
【００１７】
図１は本発明の実施の形態に係る通信装置１の構成を示す図である。通信装置１は、例えば、上述の非特許文献１に規定されている次世代ＰＨＳに準拠した基地局であって、ＯＦＤＭＡ方式で複数の通信端末（図示せず）と双方向の無線通信を行う。通信装置１は、時間軸と周波数軸とからなる２次元で特定される無線リソースを複数の通信端末のそれぞれに個別に割り当てることによって、当該複数の通信端末と同時に通信することが可能となっている。
【００１８】
図１に示されるように、通信装置１は、受信部２０及び送信部２１を有する無線通信部２と、Ａ／Ｄ変換器１２と、フィルタ３，１１と、ＦＦＴ処理部４と、並び替え処理部５と、チャネル推定部６と、イコライザ７と、検出部８と、データ処理部９と、ＩＦＦＴ処理部１０と、Ｄ／Ａ変換器１３とを備えている。受信部２０及び送信部２１は送受信アンテナ２３を共有している。
【００１９】
受信部２０は、送受信アンテナ２３で受信されたＯＦＤＭ信号に対して増幅処理やダウンコンバートを行って、当該ＯＦＤＭ信号をベースバンド信号に変換して出力する。Ａ／Ｄ変換器１２は、受信部２０から出力されるアナログ形式のベースバンド信号をデジタル形式のベースバンド信号に変換する。
【００２０】
フィルタ３は、バンドパスフィルタであって、Ａ／Ｄ変換器１２から出力されるベースバンド信号をフィルタリングして出力する。ＦＦＴ処理部４は、フィルタ３でフィルタリングされたベースバンド信号に対してＦＦＴ処理を行って、当該ベースバンド信号に含まれる複数のサブキャリアを分離して出力する。具体的には、ＦＦＴ処理部４からは、ベースバンド信号に含まれる複数のサブキャリアのそれぞれについて、当該サブキャリアを変調する複素シンボルが出力される。
【００２１】
並び替え処理部５は、ＦＦＴ処理部４から出力される各サブキャリアの複素シンボルを、サブキャリアの周波数の順番に並び替えて出力する。チャネル推定部６は、並び替え処理部５から出力される複素シンボルに基づいて、通信装置１（基地局）と通信端末との間の伝送路の特性を推定する。イコライザ７は、チャネル推定部６での推定結果に基づいて、並び替え処理部５から出力される複素シンボルを補正する。これにより、複素シンボルに含まれる、伝送路の特性による歪みが除去される。データ処理部９は、補正後の複素シンボルに対してデスクランブル処理やビタビ復号処理等を行って、通信端末から送信されたビットデータを再生する。
【００２２】
また、データ処理部９は、通信端末に向けての送信データを生成し、生成した送信データに対応する複数の複素シンボルを生成する。データ処理部９は、生成した複数の複素シンボルに対して畳み込み符号化処理やスクランブル処理等を行ってＩＦＦＴ処理部１０に入力する。ＩＦＦＴ処理部１０は、入力された複数の複素シンボルに対してＩＦＦＴ（Inverse FFT）処理を行って、当該複数の複素シンボルで変調された複数のサブキャリアが合成されたベースバンド信号を出力する。
【００２３】
フィルタ１１は、ＩＦＦＴ処理部１０から出力されるベースバンド信号をフィルタリングして出力する。Ｄ／Ａ変換器１３は、フィルタ１１から出力されるデジタル形式のベースバンド信号をアナログ形式のベースバンド信号に変換する。送信部２１は、Ｄ／Ａ変換器１３から出力されるベースバンド信号を、アップコンバート及び増幅処理を行った後、送受信アンテナ２３に入力する。これにより、送受信アンテナ２３からは、通信端末に向かって無線信号が送信される。
【００２４】
検出部８は、通信装置１と同期が取れていない通信端末からの信号の受信タイミングについての基準タイミングからの遅延量を検出するとともに、当該通信端末からの信号の受信レベルを検出する。データ処理部９は、検出部８で検出された遅延量を、通信端末の送信タイミングの補正量とする。また、データ処理部９は、検出部８で検出された受信レベルに基づいて、通信端末の適切な送信レベルを決定する。そして、データ処理部９は、上記補正量を通信端末に通知するための情報と、決定した送信レベルを通信端末に通知するための情報とを含む送信データを生成する。この送信データは、無線信号となって送受信アンテナ２３から通信端末に送信される。
【００２５】
各通信端末は、通信装置１から送信タイミングの補正量が通知されると、当該補正量に基づいて送信タイミングを補正する。これにより、通信装置１では、各通信端末からの信号を適切なタイミングで受信できるようになる。その結果、通信装置１では、ＦＦＴ処理部４において各通信端末からの信号を適切なタイミングでＦＦＴ処理することができるとともに、複数の通信端末からの信号の間の直交性を確保することができる。よって、通信装置１では、各通信相手装置からの信号に含まれる情報を正確に取得することができる。
【００２６】
また、各通信端末は、通信装置１から送信レベルが通知されると、当該送信レベルに従って信号を送信する。これにより、通信装置１においては、各通信端末からの信号の受信レベルが適切となり、受信部２０において各通信端末からの信号を適切に処理することができる。さらに、通信装置１では、複数の通信端末からの信号の受信レベルが均一となり、当該信号で構成されるＯＦＤＭ信号の周波数特性が平坦となる。よって、通信装置１では、各通信相手装置からの信号に含まれる情報を正確に取得することができる。
【００２７】
ここで、次世代ＰＨＳでは、基地局と通信端末との通信はＰＲＵ（Physical Resourse Unit）単位で行われる。例えば、基地局では、通信端末に対する無線リソースの割り当てはＰＲＵ単位で行われ、通信端末に送信データを送信する際に使用する変調方式はＰＲＵごとに決定される。１つのＰＲＵは、帯域幅が９００ｋＨｚの１つのサブチャネルと、時間幅が６２５μｓの１つのスロットとで表現される。１つのサブチャネルは２４個のサブキャリアで構成されている。
【００２８】
検出部８は、通信装置１と通信端末との通信が開始したときに、当該通信端末がＴＣＣＨ（Timing Correct Channel）を利用して送信する既知信号に基づいて、上記の遅延量と受信レベルを求める。図２はＴＣＣＨ用のＰＲＵ１００の構成例を示す図である。図２では横方向及び縦方向が時間及び周波数をそれぞれ示している。図２のＳ１〜Ｓ１９はシンボル期間の番号を示しており、図２のＦ１〜Ｆ２４はサブキャリアの周波数番号を示している。
【００２９】
ＰＲＵ１００は、時間軸と周波数軸とからなる２次元で表現される。ＰＲＵ１００は、図２に示されるように、複数のＴＣＣＨシンボル１０１と、複数のヌルシンボル１０２とを含んでいる。ＰＲＵ１００には、時間軸方向において、先頭に第１ガードタイムＧＴ１が、末尾に第２ガードタイムＧＴ２がそれぞれ設けられている。ＰＲＵ１００では、連続する３つのシンボル期間Ｓ３〜Ｓ５が第１サブスロットＳＳ１を構成し、連続する３つのシンボル期間Ｓ７〜Ｓ９が第２サブスロットＳＳ２を構成し、連続する３つのシンボル期間Ｓ１１〜Ｓ１３が第３サブスロットＳＳ３を構成し、連続する３つのシンボル期間Ｓ１５〜Ｓ１７が第４サブスロットＳＳ４を構成している。第１サブスロットＳＳ１〜第４サブスロットＳＳ４における、周波数Ｆ２〜Ｆ１２，Ｆ１３〜Ｆ２４のサブキャリアのそれぞれがＴＣＣＨシンボル１０１となっている。また、周波数Ｆ１のサブキャリアがガードキャリアとなっており、周波数Ｆ１３のサブキャリアがＤＣキャリアとなっている。そして、シンボル期間Ｓ１〜Ｓ１９のそれぞれのガードキャリア及びＤＣキャリアのそれぞれがヌルシンボル１０２となっている。
【００３０】
通信端末は、自装置でのタイミングで規定された第１サブスロットＳＳ１〜第４サブスロットＳＳ４のいずれか１つのサブスロットＳＳｎ（１≦ｎ≦４）における複数のＴＣＣＨシンボル１０１を使用して、通信装置１に対して既知のＴＣＣＨ信号を送信する。以後、１つのサブスロットＳＳｎを構成する３つのシンボル期間のうち、先頭のシンボル期間Ｓｋ（ｋ＝３，７，１１，１５）を「先頭シンボル期間」、その次のシンボル期間Ｓ（ｋ＋１）を「中間シンボル期間」、最後のシンボル期間Ｓ（ｋ＋２）を「末尾シンボル期間」と呼ぶことがある。
【００３１】
図３は、ＴＣＣＨ信号２００の時間波形を示す図である。図３では、説明の便宜上、ＴＣＣＨ信号２００が正弦波で示されているが、ＴＣＣＨ信号２００は周波数の異なる複数のサブキャリアが合成されたＯＦＤＭ信号であるため、実際の時間波形は正弦波とはならない。
【００３２】
図３に示されるように、次世代ＰＨＳの各シンボル期間は、ガードインターバルＧＩと有効シンボル期間ＥＳとで構成されている。各シンボル期間では、有効シンボル期間ＥＳにおける末尾の１／８の期間の信号が先頭のガードインターバルＧＩに含められる。これにより、各シンボル期間では信号の時間波形が連続する。
【００３３】
また、次世代ＰＨＳでは、ＴＣＣＨ信号２００が送信される１つのサブスロットＳＳｎでは、周波数Ｆ２〜Ｆ１２，Ｆ１４〜２４のサブキャリアのそれぞれの時間波形が全期間で連続した正弦波となっている。その結果、図３に示されるように、ＴＣＣＨ信号２００が送信される１つのサブスロットＳＳｎでは、周波数Ｆ２〜Ｆ１２，Ｆ１４〜２４のサブキャリアと、ガードキャリアと、ＤＣサブキャリアとの合成信号、つまりＴＣＣＨ信号２００の時間波形が連続するようになる。
【００３４】
ＴＣＣＨ信号２００では、末尾シンボル期間の有効シンボル期間ＥＳでの周波数Ｆ２〜Ｆ１２，Ｆ１４〜２４のサブキャリア（２２本のサブキャリア）が、既知の複数の複素シンボルから成るＴＣＣＨシンボルパターンで変調されている。具体的には、末尾シンボル期間の有効シンボル期間ＥＳでの２２本のサブキャリアが、ＴＣＣＨシンボルパターンを構成する既知の２２個の複素シンボルでそれぞれで変調されている。そして、ＴＣＣＨ信号２００では、末尾シンボル期間の最後から先頭シンボル期間の最初にかけて、末尾シンボル期間の有効シンボル期間ＥＳでの部分信号２００ａ（ＴＣＣＨシンボルパターンで変調されている部分であって、以後「ＴＣＣＨパターン信号２００ａ」と呼ぶ）が３つと３／８だけ連続して存在している。つまり、ＴＣＣＨ信号２００が送信される１つのサブスロットＳＳｎでは、連続的な時間波形となるようにＴＣＣＨパターン信号２００ａが繰り返して送信される。
【００３５】
このようなＴＣＣＨ信号２００においては、ＦＦＴ処理部４が、どの部分における有効シンボル長の信号を標本化したとしても、標本化したサブキャリア間の直交性は維持され、ＴＣＣＨシンボルパターンを取得することができる。ただし、標本化する部分によっては、ＦＦＴ処理部４で得られるＴＣＣＨシンボルパターンは、本来のＴＣＣＨシンボルパターンと比較して位相回転を生じることがある。
【００３６】
次世代ＰＨＳでは、６種類のＴＣＣＨシンボルパターンが規定されている。したがって、ＴＣＣＨ信号２００及びＴＣＣＨパターン信号２００ａもそれぞれ６種類存在することになる。各通信端末は、６種類のＴＣＣＨ信号２００のうちの１つの種類を、１つのサブスロットＳＳｎにおいて送信する。以後、ＴＣＣＨシンボルパターンを構成する複数の複素シンボルのそれぞれを「ＴＣＣＨ複素シンボル」と呼ぶ。
【００３７】
ここで、次世代ＰＨＳでは、基地局での動作タイミングが基準タイミングとなって、基地局と通信端末とが通信を行う。そのため、通信装置１と通信端末との間で同期が取れていない場合には、通信端末からの信号が、通信装置１のＦＦＴ処理部４に適切なタイミングで入力されないことがある。その結果、通信装置１では、通信端末からの信号を適切に復調できず、当該信号に含まれる情報を正確に取得できないことがある。
【００３８】
そこで、本実施の形態に係る通信装置１では、検出部８が、通信端末から送信されるＴＣＣＨ信号２００の受信タイミングの遅延量を検出し、データ処理部９がこの遅延量を当該通信端末の送信タイミングの補正量とする。
【００３９】
また、通信装置１において、通信端末からの信号の受信レベルが適切な値となっていない場合にも、当該通信端末の信号に含まれる情報を正確に取得することができない。本実施の形態に通信装置１では、検出部８が、通信端末から送信されるＴＣＣＨ信号２００の通信装置１での受信レベルを検出し、データ処理部９が、検出された受信レベルに基づいて、当該通信端末の適切な送信レベルを決定する。
【００４０】
以下に検出部８の構成及び動作について詳細に説明する。
【００４１】
図４は検出部８の構成を示す図である。図４に示されるように、検出部８は、ＴＣＣＨ抜き出し部８０と、６種類のＴＣＣＨシンボルパターンにそれぞれ対応して設けられた６つのＴＣＣＨ処理部８１とを備えている。ＴＣＣＨ抜き出し部８０は、ＦＦＴ処理部４の出力信号から、ＴＣＣＨ用のＰＲＵ１００におけるシンボル期間Ｓ１〜Ｓ１９での各サブキャリアの複素シンボルを抜き出す。以後、ＴＣＣＨ抜き出し部８０で抜き出された複素シンボルを「復調複素シンボル」と呼ぶ。
【００４２】
各ＴＣＣＨ処理部８１は、当該ＴＣＣＨ処理部８１に対応するＴＣＣＨシンボルパターンと復調複素シンボルとの相関演算を行う相関演算部８１２と、相関演算部８１２での演算結果に基づいて、通信端末からの信号の受信タイミングの遅延量と当該信号の受信レベルを求める受信状態取得部８１５とを備えている。相関演算部８１２は、相関値算出部８１０とＩＦＦＴ処理部８１１を有し、受信状態取得部８１５は、演算結果処理部８１３と状態取得部８１４と備えている。
【００４３】
相関値算出部８１０は、ＴＣＣＨ抜き出し部８０で抜き出された複数の復調複素シンボルから、１つのサブスロットＳＳｎの末尾シンボル期間における、周波数Ｆ１〜Ｆ１２，Ｆ１４〜Ｆ２４のサブキャリアについての復調複素シンボルを取得する。そして、相関値算出部８１０は、取得した複数の復調複素シンボルから成る復調複素シンボルパターンと、当該相関値算出部８１０が属するＴＣＣＨ処理部８１に対応する１つの種類のＴＣＣＨシンボルパターンとの相関値を求める。具体的には、相関値算出部８１０は、末尾シンボル期間における複数の復調複素シンボルのそれぞれについて、当該復調複素シンボルと、それと同じ周波数のサブキャリアを変調するＴＣＣＨ複素シンボルとの相関値を求める。
【００４４】
図５は相関値を求める方法を説明するための図である。周波数番号Ｆｍ（ｍ＝１〜１２，１４〜２４）のサブキャリアの復調複素シンボルを（ａｍ＋ｊｂｍ）、ＴＣＣＨ複素シンボルを（ｃｍ＋ｊｄｍ）とすると、相関値算出部８１０は、（ａｍ＋ｊｂｍ）と（ｃｍ−ｊｂｍ）とを掛け合わせて得られる複素数（ａｍ＋ｊｂｍ）・（ｃｍ−ｊｂｍ）を相関値とする。これにより、末尾シンボル期間について、復調複素シンボルとＴＣＣＨ複素シンボルとの相関値が２２個得られる。
【００４５】
さらに、相関値算出部８１０は、末尾シンボル期間Ｓ（ｋ＋２）の後に連続するシンボル期間Ｓ（ｋ＋３）、例えば、第１サブスロットＳＳ１の末尾シンボル期間Ｓ５であれば、シンボル期間Ｓ６における複数の復調複素シンボルのそれぞれについて、当該復調複素シンボルと、それと同じ周波数のサブキャリアを変調するＴＣＣＨ複素シンボルとの相関値を同様にして求める。これにより、末尾シンボル期間Ｓ（ｋ＋２）の後に連続するシンボル期間Ｓ（ｋ＋３）について、復調複素シンボルとＴＣＣＨ複素シンボルとの相関値が２２個得られる。
【００４６】
各相関値算出部８１０は、以上のような相関値の算出を、第１サブスロットＳＳ１〜第４サブスロットＳＳ４のそれぞれについて行う。したがって、各相関値算出部８１０では、第１サブスロットＳＳ１の末尾シンボル期間Ｓ５とそれに続くシンボル期間Ｓ６での相関値と、第２サブスロットＳＳ２の末尾シンボル期間Ｓ９とそれに続くシンボル期間Ｓ１０での相関値と、第３サブスロットＳＳ３の末尾シンボル期間Ｓ１３とそれに続くシンボル期間Ｓ１４での相関値と、第４サブスロットＳＳ４の末尾シンボル期間Ｓ１７とそれに続くシンボル期間Ｓ１８での相関値とが求められる。
【００４７】
通信端末からは、第１サブスロットＳＳ１〜第４サブスロットＳＳ４のいずれかのサブスロットＳＳｎにおいてＴＣＣＨシンボルパターンが送信されることから、第１サブスロットＳＳ１〜第４サブスロットＳＳ４のそれぞれについて上記のような相関値を求めることにより、通信装置１では、通信端末から受信したＴＣＣＨシンボルパターンと、予め記憶する理想的なＴＣＣＨシンボルパターンとの相関値を求めることができる。
【００４８】
ＩＦＦＴ処理部８１１は、相関値算出部８１０で求められた相関値に対してＩＦＦ処理を行う。具体的には、ＩＦＦＴ処理部８１１は、第１サブスロットＳＳ１〜第４サブスロットＳＳ４のそれぞれについて、末尾シンボル期間での２２個の相関値に対してＩＦＦＴ処理を行うとともに、当該末尾シンボル期間の後に続くシンボル期間での２２個の相関値に対してＩＦＦＴ処理を行う。
【００４９】
ここで、本実施の形態では、ＩＦＦＴのサンプル数（ポイント数）は例えば１２８であるため、ＩＦＦＴ処理部８１１への入力数は１２８必要である。そのため、ＩＦＦＴ処理部８１１には、２２個の相関値と、１０６個の零の値を入力する。これにより、ＩＦＦＴ処理部８１１からは、時系列順に並ぶ１２８個のサンプル値が出力される。本実施の形態では、ＩＦＦＴ処理部８１１から出力される、時系列順に並ぶ１２８個のサンプル値に対してサンプル番号０〜１２７をそれぞれ付与する。
【００５０】
ＩＦＦＴ処理部８１１から出力されるサンプル値は、ＴＣＣＨシンボルパターンを位相回転して得られる遅延ＴＣＣＨシンボルパターンと、復調複素シンボルパターンとの相関値を示している。具体的には、サンプル番号ｌ（０≦ｌ≦１２７）のサンプル値は、有効シンボル長をＴとすると、ＴＣＣＨシンボルパターンを（Ｔ×ｌ／１２８）に相当する量だけ位相回転して得られる遅延ＴＣＣＨシンボルパターンと、復調複素シンボルパターンとの相関値を示している。つまり、サンプル番号ｌのサンプル値は、ＴＣＣＨシンボルパターンを構成する複数のＴＣＣＨ複素シンボルをそれぞれ（Ｔ×ｌ／１２８）に相当する量だけ位相回転して得られる複数の遅延ＴＣＣＨ複素シンボルと、複数の復調複素シンボルとのそれぞれの相関値の総和となる。サンプル番号ｌのサンプル値ＳＭＰｌは、周波数番号Ｆｍのサブキャリアについての遅延ＴＣＣＨ複素シンボルを（ｃｃｍ＋ｊｄｄｍ）とすると、以下の式（１）で表現される。
【００５１】
ＳＭＰｌ＝（ａ１＋ｊｂ１）・（ｃｃ１−ｊｄｄ１）＋（ａ２＋ｊｂ２）・（ｃｃ２−ｊｄｄ２）＋・・・＋（ａ１２＋ｊｂ１２）・（ｃｃ１２−ｊｄｄ１２）＋（ａ１４＋ｊｂ１４）・（ｃｃ１４−ｊｄｄ１４）＋（ａ１５＋ｊｂ１５）・（ｃｃ１５−ｊｄｄ１５）＋・・・＋（ａ２４＋ｊｂ２４）・（ｃｃ２４−ｊｄｄ２４）  ・・・（１）
なお、サンプル番号０のサンプル値ＳＭＰ０は、複数の本来のＴＣＣＨ複素シンボルと複数の復調複素シンボルとのそれぞれの相関値の総和となる。
【００５２】
ＩＦＦＴ処理部８１１では、第１サブスロットＳＳ１〜第４サブスロットＳＳ４のそれぞれについて、末尾シンボル期間Ｓ（ｋ＋２）での１２８個のサンプル値と、当該末尾シンボル期間Ｓ（ｋ＋２）の後に続くシンボル期間Ｓ（ｋ＋３）での１２８個のサンプル値が得られる。つまり、各ＩＦＦＴ処理部８１１では、それに対応するＴＣＣＨシンボルパターンに応じて、１２８個のサンプル値が８組得られる。
【００５３】
演算結果処理部８１３は、ＩＦＦＴ処理部８１１で得られたサンプル値の各組について、１２８個のサンプル値のそれぞれの大きさを求める。具体的には、演算結果処理部８１３は、サンプル値ＳＭＰｌを（ｅｌ＋ｊｆｌ）とすると、当該サンプル値ＳＭＰｌの大きさとして（ｅｌ2＋ｆｌ2）を求める。図６は、一組の１２８個のサンプル値の大きさの一例を示す図である。図６では横軸がサンプル番号を示し、縦軸がサンプル値の大きさを示している。以後、１つのシンボル期間における１２８個のサンプル値を図６のように示したグラフを「相関値グラフ」と呼ぶ。
【００５４】
演算結果処理部８１３は、サンプル値の各組について全サンプル値の大きさを求めると、第１サブスロットＳＳ１〜第４サブスロットＳＳ４のそれぞれについて、末尾シンボル期間Ｓ（ｋ＋２）での１２８個のサンプル値の大きさのピーク値（最大値）を求めるとともに、当該ピーク値の大きさを有するサンプル値のサンプル番号（以後、「ピーク位置」と呼ぶ）を特定する。図６の例では、サンプル番号５０のサンプル値の大きさがピークを示しているため、ピーク位置は“５０”となる。
【００５５】
また、演算結果処理部８１３は、第１サブスロットＳＳ１〜第４サブスロットＳＳ４のそれぞれについて、末尾シンボル期間Ｓ（ｋ＋２）の後に続くシンボル期間Ｓ（ｋ＋３）での１２８個のサンプル値の大きさのピーク値を求める。
【００５６】
さらに、演算結果処理部８１３は、第１サブスロットＳＳ１〜第４サブスロットＳＳ４のそれぞれについて、末尾シンボル期間Ｓ（ｋ＋２）での１２８個のサンプル値の平均値（以後、単に「平均値」と呼ぶ）を求める。
【００５７】
状態取得部８１４は、演算結果処理部８１３で求められたピーク値、ピーク位置及び平均値に基づいて、通信端末からの信号の受信タイミングの遅延量と当該信号の受信レベルを求める。以下に、状態取得部８１４の動作について図７，８を参照して詳細に説明する。
【００５８】
図７は、状態取得部８１４における、１つのサブスロットＳＳｎでのピーク値、ピーク位置及び平均値を使用した処理を示すフローチャートである。
【００５９】
図８はＴＣＣＨ信号についての様々な受信タイミングを示す図である。図８では、通信装置１でのタイミングで規定されたシンボル期間Ｓｋ〜Ｓ（ｋ＋４）が一番上に示されている。また図８での受信タイミング（Ａ）は、通信装置１において通信端末からのＴＣＣＨ信号の受信タイミングに遅延がほぼ無い状態を示しており、受信タイミング（Ｂ）〜（Ｆ）は、通信装置１での通信端末からのＴＣＣＨ信号の受信タイミングが遅延している状態を示している。ＴＣＣＨ信号の受信タイミングの遅延量は、受信タイミング（Ｂ）〜（Ｆ）の順で大きくなっており、受信タイミング（Ｅ），（Ｆ）では１シンボル期間以上ＴＣＣＨ信号の受信タイミングが遅れている。なお、図８では、各ＴＣＣＨ信号の下に、当該ＴＣＣＨ信号が図８に示される受信タイミングで受信された際のシンボル期間Ｓｋ〜Ｓ（ｋ＋３）でのそれぞれの相関値グラフを示している。
【００６０】
図７に示されるように、ステップＳＴ１において、状態取得部８１４は、処理対象の１つのサブスロットＳＳｎにおける末尾シンボル期間Ｓ（ｋ＋２）でのピーク値（図８ではピーク値（Ｓ（ｋ＋２））と示す）が、当該末尾シンボル期間Ｓ（ｋ＋２）での平均値（図８では平均値（Ｓ（ｋ＋２））と示す）に対して十分大きいかどうかを判定する。具体的には、状態取得部８１４は、末尾シンボル期間Ｓ（ｋ＋２）でのピーク値が、末尾シンボル期間Ｓ（ｋ＋２）での平均値のα（α＞１）倍よりも大きいかを判定する。末尾シンボル期間Ｓ（ｋ＋２）において、ピーク値が平均値よりも十分に大きくない場合には、末尾シンボル期間Ｓ（ｋ＋２）での復調複素シンボルパターンと相関のある遅延ＴＣＣＨ複素シンボルパターンが存在しないと判定できることから、この場合には、状態取得部８１４は、処理対象の１つのサブスロットＳＳｎにおいて通信端末からのＴＣＣＨ信号が受信されていないか、受信されたＴＣＣＨ信号に含まれるＴＣＣＨシンボルパターンが、当該状態取得部８１４が属するＴＣＣＨ処理部８１に対応するシンボルパターンではないかのどちらかであると判断し、当該１つのサブスロットＳＳｎについての処理を終了する。一方で、末尾シンボル期間Ｓ（ｋ＋２）において、ピーク値が平均値よりも十分に大きい場合には、末尾シンボル期間Ｓ（ｋ＋２）での復調複素シンボルパターンと相関のある遅延ＴＣＣＨ複素シンボルパターンが存在するため、状態取得部８１４は、処理対象の１つのサブスロットＳＳｎにおいて通信端末からのＴＣＣＨ信号が受信されたと判定して、次のステップＳＴ２を実行する。
【００６１】
ステップＳＴ２では、状態取得部８１４は、末尾シンボル期間Ｓ（ｋ＋２）でのピーク値を、通信端末からのＴＣＣＨ信号の受信レベルとする。状態取得部８１４は、ステップＳＴ２を実行すると、ステップＳＴ３において、末尾シンボル期間Ｓ（ｋ＋２）でのピーク位置（図８ではピーク位置（Ｓ（ｋ＋２））と示す）が、１６よりも大きくかつ１１１よりも小さいかを判定する。状態取得部８１４は、末尾シンボル期間Ｓ（ｋ＋２）でのピーク位置が、１６以下あるいは１１１以上と判定すると、ＴＣＣＨ信号の受信状態が図８の（Ａ）あるいは（Ｄ）であると判定し、ステップＳＴ４を実行する。一方で、状態取得部８１４は、末尾シンボル期間Ｓ（ｋ＋２）でのピーク位置が、１６よりも大きくかつ１１１よりも小さいと判定すると、ＴＣＣＨ信号の受信タイミングが、図８の（Ｂ）、（Ｃ）、（Ｅ）、（Ｆ）のいずれかであると判定し、ステップＳＴ５を実行する。
【００６２】
ステップＳＴ４では、状態取得部８１４は、末尾シンボル期間Ｓ（ｋ＋２）の後に続くシンボル期間Ｓ（ｋ＋３）でのピーク値（図８ではピーク値（Ｓ（ｋ＋３））と示す）が小さいかを判定する。具体的には、状態取得部８１４は、シンボル期間Ｓ（ｋ＋３）でのピーク値のβ（β＞１）倍が末尾シンボル期間Ｓ（ｋ＋２）でのピーク値よりも小さいかを判定する。状態取得部８１４は、シンボル期間Ｓ（ｋ＋３）でのピーク値が小さいと判定すると、ＴＣＣＨ信号の受信タイミングが図８の（Ａ）、つまり、ＴＣＣＨ信号がシンボル期間Ｓ（ｋ＋３）に入り込んでいないと判定し、ステップＳＴ６を実行する。
【００６３】
一方で、状態取得部８１４は、シンボル期間Ｓ（ｋ＋３）でのピーク値が小さくないと判定すると、ＴＣＣＨ信号の受信タイミングが図８の（Ｄ）、つまり、ＴＣＣＨ信号がシンボル期間Ｓ（ｋ＋３）に入り込んでいると判定し、ステップＳＴ７を実行する。
【００６４】
ステップＳＴ６では、状態取得部８１４は、末尾シンボル期間Ｓ（ｋ＋２）でのピーク位置が１６よりも大きいかを判定する。ここで、図８の（Ａ）のように、ＴＣＣＨ信号の受信タイミングにほぼ遅れがない場合には、末尾シンボル期間Ｓ（ｋ＋２）でのピーク位置は、最小値の零に近い理想的な値となるか、最大値の１２７に近い値となる。ステップＳＴ６では、末尾シンボル期間Ｓ（ｋ＋２）でのピーク位置が、どちらの値にあるかを判断している。状態取得部８１４は、末尾シンボル期間Ｓ（ｋ＋２）でのピーク位置が１６よりも大きいと判定すると、ステップＳＴ８において、ＴＣＣＨ信号の受信タイミングの遅延量を零とする。
【００６５】
一方で、状態取得部８１４は、末尾シンボル期間Ｓ（ｋ＋２）でのピーク位置が１６以下であると判定すると、ステップＳＴ９において、末尾シンボル期間Ｓ（ｋ＋２）でのピーク位置を、ＴＣＣＨ信号の受信タイミングの遅延量とする。上述のように、ＩＦＦＴ処理部８１１から出力されるサンプル番号ｌのサンプル値は、有効シンボル長をＴとすると、ＴＣＣＨシンボルパターンを（Ｔ×ｌ／１２８）に相当する量だけ位相回転して得られる遅延ＴＣＣＨシンボルパターンと、復調複素シンボルパターンとの相関値を示している。したがって、末尾シンボル期間Ｓ（ｋ＋２）でのピーク位置をＬとすると、末尾シンボル期間Ｓ（ｋ＋２）での復調複素シンボルパターンは、ＴＣＣＨシンボルパターンを（Ｔ×Ｌ／１２８）に相当する量だけ位相回転して得られる遅延ＴＣＣＨシンボルパターンと相関がとれていることになる。したがって、時間領域で考えると、ＴＣＣＨ信号の受信タイミングは、（Ｔ×Ｌ／１２８）だけ遅延していることになる。よって、ピーク位置は、ＴＣＣＨ信号の受信タイミングの遅延量を示していることになる。
【００６６】
状態取得部８１４は、上述のステップＳＴ４において、ＴＣＣＨ信号の受信タイミングが図８の（Ｄ）の状態であると判定すると、ステップＳＴ７において、末尾シンボル期間Ｓ（ｋ＋２）でのピーク位置が１１１よりも小さいかを判定する。図８の（Ｄ）のように、ＴＣＣＨ信号の遅延量がほぼ有効シンボル長Ｔだけ遅延した場合には、末尾シンボル期間Ｓ（ｋ＋２）でのピーク位置は、最大値“１２７”に近い理想的な値となるか、最小値の零に近い値となる。ステップＳＴ７では、末尾シンボル期間Ｓ（ｋ＋２）でのピーク位置が、どちらの値にあるかを判断している。状態取得部８１４は、末尾シンボル期間Ｓ（ｋ＋２）でのピーク位置が１１１よりも小さいと判定すると、ステップＳＴ１０において、ＴＣＣＨ信号の受信タイミングの遅延量を“１２７”とする。一方で、状態取得部８１４は、末尾シンボル期間Ｓ（ｋ＋２）でのピーク位置が１１１以上であると判定すると、上述のステップＳＴ９を実行して、末尾シンボル期間Ｓ（ｋ＋２）でのピーク位置をＴＣＣＨ信号の受信タイミングの遅延量とする。
【００６７】
状態取得部８１４は、上述のステップＳＴ３において、ＴＣＣＨ信号の受信タイミングが、図８の（Ｂ）、（Ｃ）、（Ｅ）、（Ｆ）のいずれかであると判定すると、ステップＳＴ５において、末尾シンボル期間Ｓ（ｋ＋２）の後に続くシンボル期間Ｓ（ｋ＋３）でのピーク値が大きいかを判定する。具体的には、状態取得部８１４は、ステップＳＴ４と同様に、シンボル期間Ｓ（ｋ＋３）でのピーク値のβ倍が末尾シンボル期間Ｓ（ｋ＋２）でのピーク値よりも小さいかを判定する。状態取得部８１４は、シンボル期間Ｓ（ｋ＋３）でのピーク値が大きくない、つまりシンボル期間Ｓ（ｋ＋３）でのピーク値のβ倍が末尾シンボル期間Ｓ（ｋ＋２）でのピーク値よりも小さいと判定すると、ＴＣＣＨ信号の受信タイミングが図８の（Ｂ），（Ｃ）のいずれか、つまりＴＣＣＨ信号がシンボル期間Ｓ（ｋ＋３）にあまり入り込んでおらず、ＴＣＣＨ信号の遅延が１シンボル期間以内であると判定し、上述のステップＳＴ９を実行して、末尾シンボル期間Ｓ（ｋ＋２）でのピーク位置をＴＣＣＨ信号の受信タイミングの遅延量とする。
【００６８】
一方で、状態取得部８１４は、シンボル期間Ｓ（ｋ＋３）でのピーク値が大きい、つまり、シンボル期間Ｓ（ｋ＋３）でのピーク値のβ倍が末尾シンボル期間Ｓ（ｋ＋２）でのピーク値以上であると判定すると、ＴＣＣＨ信号の受信タイミングが図８の（Ｅ），（Ｆ）のいずれか、つまり、ＴＣＣＨ信号が１シンボル期間以上遅延していると判定し、ステップＳＴ１１を実行する。
【００６９】
ステップＳＴ１１では、状態取得部８１４は、末尾シンボル期間Ｓ（ｋ＋２）でのピーク位置に対して、有効シンボル長に相当する“１２８”を足し合わせて得られる値を、ＴＣＣＨ信号の受信タイミングの遅延量とする。
【００７０】
ここで、ＴＣＣＨ信号が１シンボル期間だけ遅延した際には、時間領域で考えると、ＴＣＣＨ信号における末尾シンボル期間Ｓ（ｋ＋２）での波形（図３での中間シンボル期間の有効シンボル期間ＥＳでの波形）は、ＴＣＣＨパターン信号２００ａよりも、ガードインターバルＧＩと同じ時間だけ進んでいる。したがって、ＴＣＣＨ信号が１シンボル期間だけ遅延した際には、末尾シンボル期間Ｓ（ｋ＋２）でのピーク位置は、ＴＣＣＨ信号の受信タイミングに遅延が無いときの末尾シンボル期間Ｓ（ｋ＋２）でのピーク位置よりもガードインターバルＧＩに相当する分だけ大きくなっている。したがって、状態取得部８１４では、ＴＣＣＨ信号が１シンボル期間以上遅延していると判定した際には、末尾シンボル期間Ｓ（ｋ＋２）でのピーク位置に対して、１シンボル期間に相当する値ではなく、有効シンボル長に相当する“１２８”を足し合わせる。
【００７１】
状態取得部８１４は、ステップＳＴ１において、末尾シンボル期間Ｓ（ｋ＋２）でのピーク値が平均値よりも十分に大きくないと判定した際には、処理対象の１つのサブスロットＳＳｎを変更して同様の処理を行う。
【００７２】
データ処理部９は、状態取得部８１４で求められた遅延量を、通信端末の送信タイミングの補正量とする。また、データ処理部９は、状態取得部８１４で求められた受信レベルに基づいて、通信端末の送信レベルを決定する。つまり、データ処理部９は、通信端末の送信レベルを決定する決定部として機能する。そして、データ処理部９は、上記の補正量を通信端末に通知するための情報と、決定した送信レベルを通信端末に通知するための情報とを含む送信データを生成する。この送信データは、無線信号となって送信部２１の送受信アンテナ２３から通信端末に送信される。
【００７３】
以上のように、本実施の形態に係る通信装置１では、相関演算部８１２が、一の単位期間である末尾シンボル期間Ｓ（ｋ＋２）及びそれに続く単位期間であるシンボル期間Ｓ（ｋ＋３）のそれぞれにおいて、復調複素シンボルパターン（受信部２０で受信された信号の周波数成分）と、ＴＣＣＨシンボルパターン（既知のＴＣＣＨパターン信号２００ａの周波数成分）との相関演算を行っている。そして、受信状態取得部８１５が、相関演算部８１２での演算結果に基づいて、通信端末からの信号の受信タイミングの遅延量を求めている。
【００７４】
図８に示されるように、ＴＣＣＨ信号２００の受信タイミングの遅延量が大きくなると、ＴＣＣＨ信号２００においてシンボル期間Ｓ（ｋ＋３）で受信される部分が増加することから、シンボル期間Ｓ（ｋ＋３）についての、復調複素シンボルパターンと、ＴＣＣＨシンボルパターンとの相関演算結果から、上述のステップＳＴ５のように、ＴＣＣＨ信号２００が１シンボル期間以上遅延しているか否かを検出することができる。上述のステップＳＴ５においては、シンボル期間Ｓ（ｋ＋３）についての、復調複素シンボルパターンと、ＴＣＣＨシンボルパターンとの相関演算結果であるピーク値が大きい場合には、ＴＣＣＨ信号２００が１シンボル期間以上遅延していると判定している。
【００７５】
また、通信端末から送信されるＴＣＣＨ信号２００は、１つのサブスロットＳＳｎの間、ＴＣＣＨパターン信号２００ａが繰り返された連続波形であることから、通信装置１では、ＴＣＣＨ信号２００の受信タイミングが１シンボル期間以上遅延したとしても、末尾シンボル期間Ｓ（ｋ＋２）においてＴＣＣＨ信号２００が連続して受信されることになる。よって、末尾シンボル期間Ｓ（ｋ＋２）での復調複素シンボルパターンと、ＴＣＣＨシンボルパターンとの相関演算を適切に行うことができることから、その演算結果と、ＴＣＣＨ信号２００が１シンボル期間以上遅延しているか否かの判定結果とに基づいて、通信端末からの信号の受信タイミングについての１シンボル期間以上の遅延を正確に求めることができる（ステップＳＴ９，ＳＴ１１）。
【００７６】
＜処理対象となるシンボル期間の組み合わせの変形例＞
上述の例では、通信端末からの信号の受信タイミングが１シンボル期間以上遅れているか否かの判定を行う際に、１つのサブスロットＳＳｎに続くシンボル期間Ｓ（ｋ＋３）での復調複素シンボルパターンとＴＣＣＨシンボルパターンとの相関演算結果を使用したが、その代わりに、１つのサブスロットＳＳｎの先頭シンボル期間Ｓｋでの復調複素シンボルパターンとＴＣＣＨシンボルパターンとの相関演算結果を使用しても良い。図８に示されるように、ＴＣＣＨ信号２００の受信タイミングの遅延量が大きくなると、ＴＣＣＨ信号２００において先頭シンボル期間Ｓｋで受信される部分が減少することから、先頭シンボル期間Ｓｋについての、復調複素シンボルパターンと、ＴＣＣＨシンボルパターンとの相関演算結果から、ＴＣＣＨ信号２００が１シンボル期間以上遅延しているか否かを検出することができる。例えば、相関演算部８１２において、先頭シンボル期間Ｓｋについてのピーク値を求めて、当該ピーク値が小さい場合には、ＴＣＣＨ信号２００が１シンボル期間以上遅延していると判定する。
【００７７】
また、末尾シンボル期間Ｓ（ｋ＋２）での復調複素シンボルパターンとＴＣＣＨシンボルパターンとの相関演算結果を使用する代りに、中間シンボル期間Ｓ（ｋ＋１）での復調複素シンボルパターンとＴＣＣＨシンボルパターンとの相関演算結果を使用しても良い。通信装置１では、ＴＣＣＨ信号２００の受信タイミングが１シンボル期間遅延した場合には、中間シンボル期間Ｓ（ｋ＋１）においてＴＣＣＨ信号２００を連続して受信することができ、当該受信タイミングが１シンボル期間よりも多少多く遅延した場合であっても、中間シンボル期間Ｓ（ｋ＋１）の大部分においてＴＣＣＨ信号を連続して受信することができることから、中間シンボル期間Ｓ（ｋ＋１）での復調複素シンボルパターンと、ＴＣＣＨシンボルパターンとの相関演算を適切に行うことができる。中間シンボル期間Ｓ（ｋ＋１）での復調複素シンボルパターンとＴＣＣＨシンボルパターンとの相関演算結果を使用する際には、相関演算部８１２において中間シンボル期間Ｓ（ｋ＋１）でのピーク位置を求めて、ＴＣＣＨ信号２００が１シンボル期間以上遅延していると判定した際には、当該ピーク位置に“１２８”を足し合わせることによって、正確な遅延量を求めることができる。ただし、ＴＣＣＨ信号２００の受信タイミングに遅延が無い場合であっても、図３に示されるように、ＴＣＣＨ信号２００のうち、中間シンボル期間Ｓ（ｋ＋１）の有効シンボル期間ＥＳでの信号波形は、ＴＣＣＨパターン信号２００ａよりも、ガードインターバルＧＩと同じ時間だけ進んでいる。したがって、このようにして求めた遅延量は、ガードインターバルＧＩの分だけ、実際の遅延量よりも大きくなっている。よって、中間シンボル期間Ｓ（ｋ＋１）でのピーク位置を使用する場合には、求めた遅延量からガードインターバルＧＩの分だけ減算する補正が必要である。
【００７８】
また、１つのサブスロットＳＳｎを構成する、先頭シンボル期間Ｓｋ、中間シンボル期間Ｓ（ｋ＋１）及び末尾シンボル期間Ｓ（ｋ＋２）のそれぞれについて、復調複素シンボルパターンと、ＴＣＣＨシンボルパターンとの相関演算を行い、これらの相関演算に基づいて通信端末からの信号の受信タイミングの遅延量を求めることによって、当該受信タイミングについての２シンボル期間以上の遅延を検出することができる。ＴＣＣＨ信号２００の受信タイミングの遅延量が大きくなると、まず、ＴＣＣＨ信号２００において先頭シンボル期間Ｓｋで受信される部分が減少し、当該遅延量がさらに大きくなると、今度は、ＴＣＣＨ信号２００において中間シンボル期間Ｓ（ｋ＋１）で受信される部分が減少することから、先頭シンボル期間Ｓｋについての復調複素シンボルパターンとＴＣＣＨシンボルパターンとの相関演算結果と、中間シンボル期間Ｓ（ｋ＋１）での復調複素シンボルパターンとＴＣＣＨシンボルパターンとの相関演算結果とを使用することによって、ＴＣＣＨ信号２００の受信タイミングの遅延量が、１シンボル期間未満であるか、１シンボル期間以上２シンボル期間未満であるか、２シンボル期間以上であるかを識別することができる。そして、ＴＣＣＨ信号２００の受信タイミングの遅延量が、１シンボル期間以上２シンボル期間未満である場合には、末尾シンボル期間Ｓ（ｋ＋２）でのピーク値に“１２８”を足し合わせて得られる値を遅延量とし、ＴＣＣＨ信号２００の受信タイミングの遅延量が２シンボル期間以上である場合には、末尾シンボル期間Ｓ（ｋ＋２）でのピーク値に“２５６”を足し合わせて得られる値を遅延量とする。これにより、通信端末からの信号の受信タイミングについて、２シンボル期間以上の遅延を検出することができる。
【００７９】
＜検出部の変形例＞
上記の例では、相関値算出部８１０で算出された、ＴＣＣＨシンボルパターンと復調複素シンボルパターンとの相関値に対してＩＦＦＴ処理部８１１でＩＦＦＴ処理を行うことによって、遅延ＴＣＣＨシンボルパターンと復調複素シンボルパターンとの相関値を求めていたが、ＩＦＦＴ処理を行わずに当該相関値を求めても良い。図９はこの場合の検出部８ａの構成を示す図である。図９の検出部８ａは、図４の検出部８において、相関演算部８１２の代わりに相関演算部８１２ａを設けたものである。
【００８０】
各相関演算部８１２ａは、１つのサブスロットＳＳｎの末尾シンボル期間Ｓ（ｋ＋２）について、復調複素シンボルパターンと、当該相関演算部８１２ａが属するＴＣＣＨ処理部８１に対応したＴＣＣＨシンボルパターンを（Ｔ×ｒ／１２８）に相当する量だけ位相回転して得られる遅延ＴＣＣＨシンボルパターンとの相関値（以後、「遅延相関値」と呼ぶ）を、ｒが取り得る各値について、上述の式（１）のように求める。ここで、ｒは０以上１２７以下の整数である。これにより、上述の図６の相関値グラフと同様のグラフを得ることができる。
【００８１】
同様にして、相関演算部８１２ａは、当該１つのサブスロットＳＳｎに続くシンボル期間Ｓ（ｋ＋３）について、復調複素シンボルパターンと、当該相関演算部８１２ａが属するＴＣＣＨ処理部８１に対応したＴＣＣＨシンボルパターンを（Ｔ×ｒ／１２８）に相当する量だけ位相回転して得られる遅延ＴＣＣＨシンボルパターンとの相関値（遅延相関値）を、ｒが取り得る各値について、上述の式（１）のように求める。
【００８２】
相関演算部８１２ａは、これらの遅延相関値を、第１サブスロットＳＳ１〜第４サブスロットＳＳ４のそれぞれについて求める。これにより、各相関演算部８１２ａでは、それに対応するＴＣＣＨシンボルパターンに応じて、１２８個の遅延相関値が８組得られる。
【００８３】
本変形例に係る受信状態取得部８１５では、上述のサンプル値が遅延相関値に置き換えられて同様の処理が行われる。これにより、上記例と同様に、検出部８ａでは、通信端末からの信号の受信タイミングについて、１シンボル期間以上の遅延量を検出することができる。
【符号の説明】
【００８４】
１  通信装置
９  データ処理部
２０  受信部
２１  送信部
８１２，８１２ａ  相関演算部
８１５  受信状態取得部
【図１】
2011010146.tif 000003
【図２】
2011010146.tif 000004
【図３】
2011010146.tif 000005
【図４】
2011010146.tif 000006
【図５】
2011010146.tif 000007
【図６】
2011010146.tif 000008
【図７】
2011010146.tif 000009
【図８】
2011010146.tif 000010
【図９】
2011010146.tif 000011